(57)【要約】【課題】Ｅ-ＲＡＢとＵｕ無線ベアラとＵｎ無線ベアラとＳ１ベアラとを適切にマッピングする。【解決手段】本発明に係る移動通信方法は、移動局ＵＥが、所定Ｑｏｓ用のＥ-ＲＡＢを設定するように要求するベアラ設定要求信号をリレーノードＲＮに対して送信する工程と、リレーノードＲＮが、受信したベアラ設定要求信号に応じて、所定ＱｏＳ用のＵｎ無線ベアラが設定されているか否かについて判定する工程と、所定ＱｏＳ用のＵｎ無線ベアラが設定されていると判定された場合、所定ＱｏＳ用のＵｕ無線ベアラを設定する工程とを有する。【選択図】図４
2010283793.tif 000002
【特許請求の範囲】
【請求項１】
移動局が、該移動局とゲートウェイ装置との間で所定Ｑｏｓ用のベアラを設定するように要求するベアラ設定要求信号を、リレーノードに対して送信する工程と、
前記リレーノードが、受信した前記ベアラ設定要求信号に応じて、該リレーノードと無線基地局との間で前記所定ＱｏＳ用の第２無線ベアラが設定されているか否かについて判定する工程と、
前記所定ＱｏＳ用の第２無線ベアラが設定されていると判定された場合、前記移動局と前記リレーノードとの間で、前記所定ＱｏＳ用の第１無線ベアラを設定する工程と、
前記リレーノードが、設定された前記所定ＱｏＳ用の第１無線ベアラと、前記所定ＱｏＳ用の第２無線ベアラとを関連付ける第１コンテキスト情報を生成して記憶する工程と、
前記無線基地局が、前記所定ＱｏＳ用の第２無線ベアラと、該無線基地局と前記ゲートウェイ装置との間の前記所定ＱｏＳ用のベアラとを関連付ける第２コンテキスト情報を生成して記憶する工程とを有することを特徴とする移動通信方法。
【請求項２】
前記所定ＱｏＳ用の第２無線ベアラが設定されていないと判定された場合、該所定ＱｏＳ用の第１無線ベアラと共に、該所定ＱｏＳ用の第２無線ベアラを設定する工程を更に有することを特徴とする請求項１に記載の移動通信方法。
【請求項３】
リレーノードであって、
移動局から、該移動局とゲートウェイ装置との間で所定Ｑｏｓ用のベアラを設定するように要求するベアラ設定要求信号を受信した場合に、無線基地局との間で該所定ＱｏＳ用の第２無線ベアラが設定されているか否かについて判定するように構成されている判定部と、
前記所定ＱｏＳ用の第２無線ベアラが設定されていると判定された場合、前記移動局との間で該所定ＱｏＳ用の第１無線ベアラを設定するように構成されている移動局側インターフェイスと、
設定された前記所定ＱｏＳ用の第１無線ベアラと、前記所定ＱｏＳ用の第２無線ベアラとを関連付けるコンテキスト情報を生成して記憶するように構成されている記憶部とを具備することを特徴とするリレーノード。
【請求項４】
前記所定ＱｏＳ用の第２無線ベアラが設定されていないと判定された場合、該所定ＱｏＳ用の第１無線ベアラと共に、該所定ＱｏＳ用の第２無線ベアラを設定するように構成されている無線基地局側インターフェイスを更に具備することを特徴とする請求項３に記載のリレーノード。
【発明の詳細な説明】
【技術分野】
【０００１】
本発明は、移動通信方法及びリレーノードに関する。
【背景技術】
【０００２】
ＬＴＥ方式の後継の通信方式であるＬＴＥ-Ａｄｖａｎｃｅｄ方式の移動通信システムでは、移動局ＵＥと無線基地局ＤｅＮＢとの間に、無線基地局ＤｅＮＢと同様な機能を具備する「リレーノード（Ｒｅｌａｙ  Ｎｏｄｅ）ＲＮ」を接続することができる。
【０００３】
図１に示すように、かかるＬＴＥ-Ａｄｖａｎｃｅｄ方式の移動通信システムでは、Ｕプレーン用ベアラとして、移動局ＵＥとゲートウェイ装置Ｓ-ＧＷ（Ｓｅｒｖｉｎｇ-Ｇａｔｅｗａｙ）との間で、Ｅ-ＲＡＢ（Ｅ-ＵＴＲＡＮ  Ｒａｄｉｏ  Ａｃｃｅｓｓ  Ｂｅａｒｅｒ、移動局ＵＥ用のベアラ）が設定され、移動局ＵＥとリレーノードＲＮとの間で、Ｕｕ無線ベアラ（第１無線ベアラ）が設定され、リレーノードＲＮと無線基地局ＤｅＮＢとの間で、Ｕｎ無線ベアラ（第２無線ベアラ）が設定され、無線基地局ＤｅＮＢとゲートウェイ装置Ｓ-ＧＷとの間で、Ｓ１ベアラが設定されるように構成されている。
【先行技術文献】
【非特許文献】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【発明の概要】
【発明が解決しようとする課題】
【０００５】
しかしながら、現時点では、ＬＴＥ-Ａｄｖａｎｃｅｄ方式の移動通信システムにおいて、Ｅ-ＲＡＢとＵｕ無線ベアラとＵｎ無線ベアラとＳ１ベアラとを、どのようにマッピングすべきかについて規定されていないという問題点があった。
【０００６】
そこで、本発明は、上述の課題に鑑みてなされたものであり、Ｅ-ＲＡＢとＵｕ無線ベアラとＵｎ無線ベアラとＳ１ベアラとを適切にマッピングすることができる移動通信方法及びリレーノードを提供することを目的とする。
【課題を解決するための手段】
【０００７】
本発明の第１の特徴は、移動通信方法であって、移動局が、該移動局とゲートウェイ装置との間で所定Ｑｏｓ用のベアラを設定するように要求するベアラ設定要求信号を、リレーノードに対して送信する工程と、前記リレーノードが、受信した前記ベアラ設定要求信号に応じて、該リレーノードと無線基地局との間で前記所定ＱｏＳ用の第２無線ベアラが設定されているか否かについて判定する工程と、前記所定ＱｏＳ用の第２無線ベアラが設定されていると判定された場合、前記移動局と前記リレーノードとの間で、前記所定ＱｏＳ用の第１無線ベアラを設定する工程と、前記リレーノードが、設定された前記所定ＱｏＳ用の第１無線ベアラと、前記所定ＱｏＳ用の第２無線ベアラとを関連付ける第１コンテキスト情報を生成して記憶する工程と、前記無線基地局が、前記所定ＱｏＳ用の第２無線ベアラと、該無線基地局と前記ゲートウェイ装置との間の前記所定ＱｏＳ用のベアラとを関連付ける第２コンテキスト情報を生成して記憶する工程とを有することを要旨とする。
【０００８】
本発明の第２の特徴は、リレーノードであって、移動局から、該移動局とゲートウェイ装置との間で所定Ｑｏｓ用のベアラを設定するように要求するベアラ設定要求信号を受信した場合に、無線基地局との間で該所定ＱｏＳ用の第２無線ベアラが設定されているか否かについて判定するように構成されている判定部と、前記所定ＱｏＳ用の第２無線ベアラが設定されていると判定された場合、前記移動局との間で該所定ＱｏＳ用の第１無線ベアラを設定するように構成されている移動局側インターフェイスと、設定された前記所定ＱｏＳ用の第１無線ベアラと、前記所定ＱｏＳ用の第２無線ベアラとを関連付けるコンテキスト情報を生成して記憶するように構成されている記憶部とを具備することを要旨とする。
【発明の効果】
【０００９】
以上説明したように、本発明によれば、Ｅ-ＲＡＢとＵｕ無線ベアラとＵｎ無線ベアラとＳ１ベアラとを適切にマッピングすることができる移動通信方法及びリレーノードを提供することができる。
【図面の簡単な説明】
【００１０】
【図１】本発明の第１の実施形態に係る移動通信システムの全体構成図である。
【図２】本発明の第１の実施形態に係るリレーノードの機能ブロック図である。
【図３】本発明の第１の実施形態に係る移動通信システムにおいて設定されているＵｕ無線ベアラ及びＵｎ無線ベアラについて説明するための図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第１の実施形態の変更例１に係る移動通信システムの動作を示すシーケンス図である。
【発明を実施するための形態】
【００１１】
（本発明の第１の実施形態に係る移動通信システム）
図１乃至５を参照して、本発明の第１の実施形態に係る移動通信システムについて説明する。
【００１２】
本発明の第１の実施形態に係る移動通信システムは、ＬＴＥ-Ａｄｖａｎｃｅｄ方式の移動通信システムであって、図１に示すように、Ｕプレーン用ベアラとして、移動局ＵＥとゲートウェイ装置Ｓ-ＧＷとの間で、Ｅ-ＲＡＢが設定され、移動局ＵＥとリレーノードＲＮとの間の第１無線区間で、Ｕｕ無線ベアラが設定され、リレーノードＲＮと無線基地局ＤｅＮＢとの間の第２無線区間で、Ｕｎ無線ベアラが設定され、無線基地局ＤｅＮＢとゲートウェイ装置Ｓ-ＧＷとの間で、Ｓ１ベアラが設定されるように構成されている。
【００１３】
具体的には、図１に示すように、本実施形態に係る移動通信システムでは、Ｅ-ＲＡＢとＵｕ無線ベアラとＵｎ無線ベアラとＳ１ベアラとがマッピングされるように構成されている。
【００１４】
図２に示すように、本実施形態に係るリレーノードＲＮは、ＵＥ側インターフェイス１１と、ＤｅＮＢ側インターフェイス１２と、記憶部１３と、判定部１４とを具備している。
【００１５】
ＵＥ側インターフェイス１１は、移動局ＵＥとの間のインターフェイスとして機能し、ＤｅＮＢ側インターフェイス１２は、無線基地局ＤｅＮＢとの間のインターフェイスとして機能する。
【００１６】
判定部１４は、移動局ＵＥから、移動局ＵＥとゲートウェイ装置Ｓ-ＧＷとの間で所定Ｑｏｓ用のＥ-ＲＡＢを設定するように要求する「Ａｔｔａｃｈ  Ｒｅｑｕｅｓｔ」又は「Ｓｅｒｖｉｃｅ  Ｒｅｑｕｅｓｔ」を受信した場合に、無線基地局ＤｅＮＢとの間で所定ＱｏＳ用のＵｎ無線ベアラが設定されているか否かについて判定するように構成されている。
【００１７】
記憶部１３は、ＵＥコンテキスト（ＲＮ）、すなわち、第１コンテキスト情報を記憶するように構成されている。
【００１８】
具体的には、記憶部１３は、ＵＥコンテキスト（ＲＮ）として、所定ＱｏＳ用のＵｕ無線ベアラと所定ＱｏＳ用のＵｎ無線ベアラとをマッピングするための情報を記憶するように構成されている。
【００１９】
本実施形態に係る移動通信システムでは、図３に示すように、リレーノードＲＮの記憶部１３が、ＵＥコンテキスト（ＲＮ）を記憶することによって、複数の移動局ＵＥ＃０〜ＵＥ＃ｎとリレーノードＲＮとの間で設定される複数のＵｕ無線ベアラのうち、異なる移動局ＵＥ用として設定される所定ＱｏＳ用のＵｕ無線ベアラの各々を、リレーノードＲＮと無線基地局ＤｅＮＢとの間で設定される所定ＱｏＳ用のＵｎ無線ベアラＸ〜Ｚにマッピングするように構成されている。
【００２０】
例えば、図３に示すように、移動局ＵＥ＃０用として設定されているＱｏＳ＃０用のＵｕ無線ベアラＡ０及び移動局ＵＥ＃ｎ用として設定されているＱｏＳ＃０用のＵｕ無線ベアラＢ０が、ＱｏＳ＃０用のＵｎ無線ベアラＸにマッピングされるように構成されている。
【００２１】
ここで、移動局ＵＥ＃０用として設定されているＱｏＳ＃０用のＵｕ無線ベアラＡ０は、移動局ＵＥ＃０の識別情報（ＣＲＮＴＩ（ＵＥ＃０））と第１無線区間における移動局ＵＥ＃０のＥ-ＲＡＢの識別情報（Ｅ-ＲＡＢ＃０）とＵｕ無線ベアラの識別情報（ＤＲＢ＃０）とによって特定されるように構成されており、移動局ＵＥ＃ｎ用として設定されているＱｏＳ＃０用のＵｕ無線ベアラＢ０は、移動局ＵＥ＃ｎの識別情報（ＣＲＮＴＩ（ＵＥ＃ｎ））と第１無線区間における移動局ＵＥ＃ｎのＥ-ＲＡＢの識別情報（Ｅ-ＲＡＢ＃０）とＵｕ無線ベアラの識別情報（ＤＲＢ＃０）とによって特定されるように構成されている。
【００２２】
また、ＱｏＳ＃０用のＵｎ無線ベアラＸは、リレーノードＲＮの識別情報（ＣＲＮＴＩ（ＲＮ））と第２無線区間におけるＥ-ＲＡＢの識別情報（Ｅ-ＲＡＢ＃０）とＵｎ無線ベアラの識別情報（ＤＲＢ＃０）とによって特定されるように構成されている。
【００２３】
同様に、図３の例では、移動局ＵＥ＃０用として設定されているＱｏＳ＃１用のＵｕ無線ベアラＡ１及び移動局ＵＥ＃ｎ用として設定されているＱｏＳ＃１用のＵｕ無線ベアラＢ１が、ＱｏＳ＃１用のＵｎ無線ベアラＹにマッピングされるように構成されている。
【００２４】
ここで、移動局ＵＥ＃０用として設定されているＱｏＳ＃１用のＵｕ無線ベアラＡ１は、移動局ＵＥ＃０の識別情報（ＣＲＮＴＩ（ＵＥ＃０））と第１無線区間における移動局ＵＥ＃０のＥ-ＲＡＢの識別情報（Ｅ-ＲＡＢ＃１）とＵｕ無線ベアラの識別情報（ＤＲＢ＃１）とによって特定されるように構成されており、移動局ＵＥ＃ｎ用として設定されているＱｏＳ＃１用のＵｕ無線ベアラＢ１は、移動局ＵＥ＃ｎの識別情報（ＣＲＮＴＩ（ＵＥ＃ｎ））と第１無線区間における移動局ＵＥ＃ｎのＥ-ＲＡＢの識別情報（Ｅ-ＲＡＢ＃１）とＵｕ無線ベアラの識別情報（ＤＲＢ＃１）とによって特定されるように構成されている。
【００２５】
また、ＱｏＳ＃１用のＵｎ無線ベアラＹは、リレーノードＲＮの識別情報（ＣＲＮＴＩ（ＲＮ））と第２無線区間におけるＥ-ＲＡＢの識別情報（Ｅ-ＲＡＢ＃１）とＵｎ無線ベアラの識別情報（ＤＲＢ＃１）とによって特定されるように構成されている。
【００２６】
さらに、図３の例では、移動局ＵＥ＃０用として設定されているＱｏＳ＃２用のＵｕ無線ベアラＡ２及び移動局ＵＥ＃ｎ用として設定されているＱｏＳ＃２用のＵｕ無線ベアラＢ２が、ＱｏＳ＃２用のＵｎ無線ベアラＺにマッピングされるように構成されている。
【００２７】
ここで、移動局ＵＥ＃０用として設定されているＱｏＳ＃２用のＵｕ無線ベアラＡ２は、移動局ＵＥ＃０の識別情報（ＣＲＮＴＩ（ＵＥ＃０））と第１無線区間における移動局ＵＥ＃０のＥ-ＲＡＢの識別情報（Ｅ-ＲＡＢ＃２）とＵｕ無線ベアラの識別情報（ＤＲＢ＃２）とによって特定されるように構成されており、移動局ＵＥ＃ｎ用として設定されているＱｏＳ＃２用のＵｕ無線ベアラＢ２は、移動局ＵＥ＃ｎの識別情報（ＣＲＮＴＩ（ＵＥ＃ｎ））と第１無線区間における移動局ＵＥ＃ｎのＥ-ＲＡＢの識別情報（Ｅ-ＲＡＢ＃２）とＵｕ無線ベアラの識別情報（ＤＲＢ＃２）とによって特定されるように構成されている。
【００２８】
また、ＱｏＳ＃１用のＵｎ無線ベアラＺは、リレーノードＲＮの識別情報（ＣＲＮＴＩ（ＲＮ））と第２無線区間におけるＥ-ＲＡＢの識別情報（Ｅ-ＲＡＢ＃２）とＵｎ無線ベアラの識別情報（ＤＲＢ＃２）とによって特定されるように構成されている。
【００２９】
また、図３に示すように、本実施形態に係る移動通信システムでは、無線基地局ＤｅＮＢが、ＵＥコンテキスト（ＤｅＮＢ）を記憶することによって、無線基地局ＤｅＮＢとゲートウェイ装置Ｓ-ＧＷとの間で設定される複数のＳ１ベアラのうち、異なる移動局ＵＥ＃０〜ＵＥ＃ｎ用として設定される所定ＱｏＳ用のＳ１ベアラの各々を、所定ＱｏＳ用のＵｎ無線ベアラＸ〜Ｚにマッピングするように構成されていてもよい。
【００３０】
例えば、図３に示すように、移動局ＵＥ＃０用として設定されるＱｏＳ＃０用のＳ１ベアラ及び移動局ＵＥ＃ｎ用として設定されるＱｏＳ＃０用のＳ１ベアラは、Ｕｎ無線ベアラＸにマッピングされるように構成されている。
【００３１】
ここで、移動局ＵＥ＃０用として設定されるＱｏＳ＃０用のＳ１ベアラは、ＴＥＩＤ＃０によって特定されるように構成されており、移動局ＵＥ＃ｎ用として設定されるＱｏＳ＃０用のＳ１ベアラは、ＴＥＩＤ＃３によって特定されるように構成されている。
【００３２】
同様に、移動局ＵＥ＃０用として設定されるＱｏＳ＃１用のＳ１ベアラ及び移動局ＵＥ＃ｎ用として設定されるＱｏＳ＃１用のＳ１ベアラは、Ｕｎ無線ベアラＹにマッピングされるように構成されている。
【００３３】
ここで、移動局ＵＥ＃０用として設定されるＱｏＳ＃１用のＳ１ベアラは、ＴＥＩＤ＃１によって特定されるように構成されており、移動局ＵＥ＃ｎ用として設定されるＱｏＳ＃１用のＳ１ベアラは、ＴＥＩＤ＃４によって特定されるように構成されている。
【００３４】
さらに、移動局ＵＥ＃０用として設定されるＱｏＳ＃２用のＳ１ベアラ及び移動局ＵＥ＃ｎ用として設定されるＱｏＳ＃２用のＳ１ベアラは、Ｕｎ無線ベアラＺにマッピングされるように構成されている。
【００３５】
ここで、移動局ＵＥ＃０用として設定されるＱｏＳ＃２用のＳ１ベアラは、ＴＥＩＤ＃２によって特定されるように構成されており、移動局ＵＥ＃ｎ用として設定されるＱｏＳ＃２用のＳ１ベアラは、ＴＥＩＤ＃５によって特定されるように構成されている。
【００３６】
以下、図４及び図５を参照して、本実施形態に係る移動通信システムの動作について説明する。
【００３７】
第１に、図４を参照して、本実施形態に係る移動通信システムにおいて、移動局ＵＥのＵプレーン用ベアラを設定する動作（１）について説明する。
【００３８】
図４に示すように、ステップＳ１００１において、移動局ＵＥは、リレーノードＲＮに対して「ＲＡＣＨ  ｐｒｅａｍｂｌｅ」を送信し、ステップＳ１００２において、リレーノードＲＮは、受信した「ＲＡＣＨ  ｐｒｅａｍｂｌｅ」に応じて、移動局ＵＥに対して「ＲＡＣＨ  ｒｅｓｐｏｎｓｅ」を送信する。
【００３９】
ステップＳ１００３において、移動局ＵＥは、リレーノードＲＮに対して「ＲＲＣ  Ｃｏｎｎｅｃｔｉｏｎ  Ｒｅｑｕｅｓｔ」を送信し、ステップＳ１００４において、リレーノードＲＮは、受信した「ＲＲＣ  Ｃｏｎｎｅｃｔｉｏｎ  Ｒｅｑｕｅｓｔ」に応じて、移動局ＵＥに対して「ＲＲＣ  Ｃｏｎｎｅｃｔｉｏｎ  Ｓｅｔｕｐ」を送信する。
【００４０】
ステップＳ１００５において、移動局ＵＥは、リレーノードＲＮに対して、「Ａｔｔａｃｈ  Ｒｅｑｕｅｓｔ（移動局ＵＥ用のＥ-ＲＡＢの設定要求信号）」を含む「ＲＲＣ  Ｃｏｎｎｅｃｔｉｏｎ  Ｓｅｔｕｐ  Ｃｏｍｐｌｅｔｅ」を送信する。この結果、移動局ＵＥとリレーノードＲＮとの間の第１無線区間でＳＲＢ１（シグナリング無線ベアラ１）が確立される。
【００４１】
ここで、「Ａｔｔａｃｈ  Ｒｅｑｕｅｓｔ」は、ゲートウェイ装置Ｓ-ＧＷに対して、移動局ＵＥ用として所定ＱｏＳ用のＥ-ＲＡＢの設定を要求するためのＮＡＳ信号である。
【００４２】
ステップＳ１００６において、リレーノードＲＮは、無線基地局ＤｅＮＢとの間で所定ＱｏＳ用のＵｎ無線ベアラが設定されているか否かについて判定する。ここで、リレーノードＲＮは、かかる所定ＱｏＳ用のＵｎ無線ベアラが設定されていると判定した場合、ステップＳ１００６において、かかる所定ＱｏＳ用のＵｎ無線ベアラを介して、無線基地局ＤｅＮＢに対して、「Ａｔｔａｃｈ  Ｒｅｑｕｅｓｔ」を含む「Ｉｎｉｔｉａｌ  ＵＥ  Ｍｅｓｓａｇｅ」を送信する。
【００４３】
例えば、かかる所定ＱｏＳ用のＵｎ無線ベアラは、リレーノードＲＮ用として設定されている制御信号を伝送するためのＲＮ用ＳＲＢ１（シグナリング無線ベアラ１）又はＲＮ用ＳＲＢ１（シグナリング無線ベアラ１）であってもよいし、リレーノードＲＮ用として設定されているユーザデータを伝送するためのＲＮ用ＤＲＢ（データ無線ベアラ）であってもよいし、複数の移動局ＵＥに共通に設定されているＵＥ共通ＤＲＢであってもよい。
【００４４】
ステップＳ１００７において、無線基地局ＤｅＮＢは、ゲートウェイ装置Ｓ-ＧＷに対して、かかる「Ｉｎｉｔｉａｌ  ＵＥ  Ｍｅｓｓａｇｅ」を送信し、移動局ＵＥとゲートウェイ装置Ｓ-ＧＷとの間で認証処理及びセキュリティ処理が行われた後、ステップＳ１００８において、ゲートウェイ装置Ｓ-ＧＷは、受信した「Ｉｎｉｔｉａｌ  ＵＥ  Ｍｅｓｓａｇｅ」に応じて、リレーノードＲＮに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００４５】
リレーノードＲＮは、移動局ＵＥに対して、ステップＳ１００９において、「Ｓｅｃｕｒｉｔｙ  Ｍｏｄｅ  Ｃｏｍｍａｎｄ」を送信し、ステップＳ１０１０において、「ＲＲＣ  Ｃｏｎｎｃｅｔｉｏｎ  Ｒｅｃｏｎｆｉｇｕｒａｔｉｏｎ」を送信する。
【００４６】
かかる「ＲＲＣ  Ｃｏｎｎｃｅｔｉｏｎ  Ｒｅｃｏｎｆｉｇｕｒａｔｉｏｎ」は、移動局ＵＥ用のＵｕ無線ベアラ（ＵＥ用ＤＲＢ）を設定するように要求する情報要素を含む移動局ＵＥ用のＵｕ無線ベアラの設定要求信号である。
【００４７】
移動局ＵＥは、リレーノードＲＮに対して、ステップＳ１０１１において、「Ｓｅｃｕｒｉｔｙ  Ｍｏｄｅ  Ｃｏｍｐｌｅｔｅ」を送信し、ステップＳ１０１２において、「ＲＲＣ  Ｃｏｎｎｃｅｔｉｏｎ  Ｒｅｃｏｎｆｉｇｕｒａｔｉｏｎ  Ｃｏｍｐｌｅｔｅ（移動局ＵＥ用のＵｕ無線ベアラの設定完了信号）」を送信する。
【００４８】
ステップＳ１０１３において、移動局ＵＥ用のＵｕ無線ベアラが確立され、ステップＳ１０１４において、リレーノードＲＮは、移動局ＵＥ用として設定された所定ＱｏＳ用のＵｕ無線ベアラと、所定ＱｏＳ用のＵｎ無線ベアラとを関連付けるＵＥコンテキスト（ＲＮ）を生成して記憶する。
【００４９】
ステップＳ１０１５において、リレーノードＲＮは、無線基地局ＤｅＮＢを介して、ゲートウェイ装置Ｓ-ＧＷに対して、「ＲＲＣ  Ｃｏｎｎｃｅｔｉｏｎ  Ｒｅｃｏｎｆｉｇｕｒａｔｉｏｎ  Ｃｏｍｐｌｅｔｅ（移動局ＵＥ用のＵｎ無線ベアラの設定完了信号）」を送信し、ステップＳ１０１６において、無線基地局ＤｅＮＢは、所定ＱｏＳ用のＵｎ無線ベアラと、移動局ＵＥ用として設定されている所定ＱｏＳ用のＳ１ベアラとを関連付けるＵＥコンテキスト（ＤｅＮＢ）を生成して記憶する。
【００５０】
ステップＳ１０１７において、移動局ＵＥは、交換局ＭＭＥに対して「Ａｔｔａｃｈ  Ｃｏｍｐｌｅｔｅ」を送信する。
【００５１】
第２に、図５を参照して、本実施形態に係る移動通信システムにおいて、移動局ＵＥのＵプレーン用ベアラを設定する動作（２）について説明する。
【００５２】
図５に示すように、ステップＳ１１０１において、移動局ＵＥは、リレーノードＲＮに対して「ＲＡＣＨ  ｐｒｅａｍｂｌｅ」を送信し、ステップＳ１１０２において、リレーノードＲＮは、受信した「ＲＡＣＨ  ｐｒｅａｍｂｌｅ」に応じて、移動局ＵＥに対して「ＲＡＣＨ  ｒｅｓｐｏｎｓｅ」を送信する。
【００５３】
ステップＳ１１０３において、移動局ＵＥは、リレーノードＲＮに対して「ＲＲＣ  Ｃｏｎｎｅｃｔｉｏｎ  Ｒｅｑｕｅｓｔ」を送信し、ステップＳ１１０４において、リレーノードＲＮは、受信した「ＲＲＣ  Ｃｏｎｎｅｃｔｉｏｎ  Ｒｅｑｕｅｓｔ」に応じて、移動局ＵＥに対して「ＲＲＣ  Ｃｏｎｎｅｃｔｉｏｎ  Ｓｅｔｕｐ」を送信する。
【００５４】
ステップＳ１１０５において、移動局ＵＥは、リレーノードＲＮに対して、「Ａｔｔａｃｈ  Ｒｅｑｕｅｓｔ（移動局ＵＥ用のＥ-ＲＡＢの設定要求信号）」を含む「ＲＲＣ  Ｃｏｎｎｅｃｔｉｏｎ  Ｓｅｔｕｐ  Ｃｏｍｐｌｅｔｅ」を送信する。この結果、移動局ＵＥとリレーノードＲＮとの間の第１無線区間でＳＲＢ１（シグナリング無線ベアラ１）が確立される。
【００５５】
ここで、「Ａｔｔａｃｈ  Ｒｅｑｕｅｓｔ」は、ゲートウェイ装置Ｓ-ＧＷに対して、移動局ＵＥ用として所定ＱｏＳ用のＥ-ＲＡＢの設定を要求するためのＮＡＳ信号である。
【００５６】
ステップＳ１１０６において、リレーノードＲＮは、無線基地局ＤｅＮＢとの間で所定ＱｏＳ用のＵｎ無線ベアラが設定されているか否かについて判定する。ここで、リレーノードＲＮは、かかる所定ＱｏＳ用のＵｎ無線ベアラが設定されていないと判定した場合、ステップＳ１１０６において、リレーノードＲＮ用として設定されているユーザデータを伝送するためのＲＮ用ＤＲＢ（データ無線ベアラ）を介して、無線基地局ＤｅＮＢに対して、「Ａｔｔａｃｈ  Ｒｅｑｕｅｓｔ」を含む「Ｉｎｉｔｉａｌ  ＵＥ  Ｍｅｓｓａｇｅ」を送信する。
【００５７】
ステップＳ１１０７において、無線基地局ＤｅＮＢは、ゲートウェイ装置Ｓ-ＧＷに対して、かかる「Ｉｎｉｔｉａｌ  ＵＥ  Ｍｅｓｓａｇｅ」を送信し、ステップＳ１１０８において、移動局ＵＥとゲートウェイ装置Ｓ-ＧＷとの間で認証処理及びセキュリティ処理が行われた後、ステップＳ１１０９において、ゲートウェイ装置Ｓ-ＧＷは、受信した「Ｉｎｉｔｉａｌ  ＵＥ  Ｍｅｓｓａｇｅ」に応じて、無線基地局ＤｅＮＢに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００５８】
ステップＳ１１１０において、無線基地局ＤｅＮＢは、リレーノードＲＮに対して「ＲＲＣ  Ｃｏｎｎｃｅｔｉｏｎ  Ｒｅｃｏｎｆｉｇｕｒａｔｉｏｎ」を送信する。
【００５９】
かかる「ＲＲＣ  Ｃｏｎｎｃｅｔｉｏｎ  Ｒｅｃｏｎｆｉｇｕｒａｔｉｏｎ」は、ゲートウェイ装置Ｓ-ＧＷによって送信された「Ｉｎｉｔｉａｌ  Ｃｏｎｔｅｘｔ  Ｓｅｔｕｐ  Ｒｅｑｕｅｓｔ（Ａｔｔａｃｈ  Ａｃｃｅｐｔ）」を含み、所定ＱｏＳ用のＵｎ無線ベアラ（ＵＥ用ＤＲＢ）を設定するように要求する情報要素「ｄｒｂ-ＴｏＡｄｄＭｏｄＬｉｓｔ」を含むＵｎ無線ベアラの設定要求信号である。
【００６０】
リレーノードＲＮは、移動局ＵＥに対して、ステップＳ１１１１において、「Ｓｅｃｕｒｉｔｙ  Ｍｏｄｅ  Ｃｏｍｍａｎｄ」を送信し、ステップＳ１１１２において、「ＲＲＣ  Ｃｏｎｎｃｅｔｉｏｎ  Ｒｅｃｏｎｆｉｇｕｒａｔｉｏｎ」を送信する。
【００６１】
かかる「ＲＲＣ  Ｃｏｎｎｃｅｔｉｏｎ  Ｒｅｃｏｎｆｉｇｕｒａｔｉｏｎ」は、移動局ＵＥ用として所定ＱｏＳ用のＵｕ無線ベアラ（ＵＥ用ＤＲＢ）を設定するように要求する情報要素を含むＵｕ無線ベアラの設定要求信号である。
【００６２】
移動局ＵＥは、リレーノードＲＮに対して、ステップＳ１１１３において、「Ｓｅｃｕｒｉｔｙ  Ｍｏｄｅ  Ｃｏｍｐｌｅｔｅ」を送信し、ステップＳ１１１４において、「ＲＲＣ  Ｃｏｎｎｃｅｔｉｏｎ  Ｒｅｃｏｎｆｉｇｕｒａｔｉｏｎ  Ｃｏｍｐｌｅｔｅ（移動局ＵＥ用のＵｕ無線ベアラの設定完了信号）」を送信する。
【００６３】
ステップＳ１１１５において、移動局ＵＥ用のＵｕ無線ベアラ（所定ＱｏＳ用）が確立され、ステップＳ１１１６において、リレーノードＲＮは、移動局ＵＥ用のＵｕ無線ベアラ（所定ＱｏＳ用）と、所定ＱｏＳ用のＵｎ無線ベアラとを関連付けるＵＥコンテキスト（ＲＮ）を生成して記憶する。
【００６４】
ステップＳ１１１７において、リレーノードＲＮは、無線基地局ＤｅＮＢに対して「ＲＲＣ  Ｃｏｎｎｃｅｔｉｏｎ  Ｒｅｃｏｎｆｉｇｕｒａｔｉｏｎ  Ｃｏｍｐｌｅｔｅ（所定ＱｏＳ用のＵｎ無線ベアラの設定完了信号）」を送信し、ステップＳ１１１８において、無線基地局ＤｅＮＢは、ゲートウェイ装置Ｓ-ＧＷに対して、受信した「ＲＲＣ  Ｃｏｎｎｃｅｔｉｏｎ  Ｒｅｃｏｎｆｉｇｕｒａｔｉｏｎ  Ｃｏｍｐｌｅｔｅ」に含まれる「Ｉｎｉｔｉａｌ  Ｃｏｎｔｅｘｔ  Ｓｅｔｕｐ  Ｒｅｓｐｏｎｓｅ」を送信する。
【００６５】
ステップＳ１１１９において、所定ＱｏＳ用のＵｎ無線ベアラが確立され、ステップＳ１１２０において、無線基地局ＤｅＮＢは、所定ＱｏＳ用のＵｎ無線ベアラと、移動局ＵＥ用のＳ１ベアラ（所定ＱｏＳ用）とを関連付けるＵＥコンテキスト（ＤｅＮＢ）を生成して記憶する。
【００６６】
ステップＳ１１２１において、移動局ＵＥは、ゲートウェイ装置Ｓ-ＧＷに対して「Ａｔｔａｃｈ  Ｃｏｍｐｌｅｔｅ」を送信する。
【００６７】
本実施形態に係る移動通信システムによれば、リレーノードＲＮが、同一のＱｏＳのＵｕ無線ベアラを介して受信した各移動局ＵＥ用の上りユーザデータを、同一のＵｎ無線ベアラに多重するように構成されているため、Ｕｎ無線ベアラ用の無線リソースを効率的に使用することができる。
【００６８】
同様に、本実施形態に係る移動通信システムによれば、無線基地局ＤｅＮＢが、同一のＱｏＳのＳ１ベアラを介して受信した各移動局ＵＥ用の下りユーザデータを、同一のＵｎ無線ベアラに多重するように構成されているため、Ｕｎ無線ベアラ用の無線リソースを効率的に使用することができる。
【００６９】
（本発明の第１の実施形態の変更例１に係る移動通信システム）
以下、図６を参照して、本発明の第１の実施形態の変更例１に係る移動通信システムについて、上述の第１の実施形態に係る移動通信システムとの相違点に着目して説明する。
【００７０】
ここで、本変更例１に係る移動通信システムにおいて、移動局ＵＥのＵプレーン用ベアラを設定する動作について説明する。
【００７１】
図６に示すように、ステップＳ１２０１乃至Ｓ１２０９の動作は、図５に示すステップＳ１１０１乃至Ｓ１１０９の動作と同一である。
【００７２】
ステップＳ１２１０において、無線基地局ＤｅＮＢは、リレーノードＲＮに対して「ＲＲＣ  Ｃｏｎｎｃｅｔｉｏｎ  Ｒｅｃｏｎｆｉｇｕｒａｔｉｏｎ」を送信する。
【００７３】
かかる「ＲＲＣ  Ｃｏｎｎｃｅｔｉｏｎ  Ｒｅｃｏｎｆｉｇｕｒａｔｉｏｎ」は、所定ＱｏＳ用のＵｎ無線ベアラ（所定ＱｏＳ用ＤＲＢ）を設定するように要求する情報要素「ｄｒｂ-ＴｏＡｄｄＭｏｄＬｉｓｔ」を含むＵｎ無線ベアラの設定要求信号である。
【００７４】
ここで、無線基地局ＤｅＮＢは、ゲートウェイ装置Ｓ-ＧＷから受信した「Ａｔｔａｃｈ  Ｒｅｑｕｅｓｔ」を含む「Ｉｎｉｔｉａｌ  Ｃｏｎｔｅｘｔ  Ｓｅｔｕｐ  Ｒｅｑｕｅｓｔ」のバッファリングを開始する。
【００７５】
ステップＳ１２１１において、リレーノードＲＮは、無線基地局ＤｅＮＢに対して、「ＲＲＣ  Ｃｏｎｎｃｅｔｉｏｎ  Ｒｅｃｏｎｆｉｇｕｒａｔｉｏｎ  Ｃｏｍｐｌｅｔｅ（所定ＱｏＳ用のＵｎ無線ベアラの設定完了信号）」を送信する。
【００７６】
ステップＳ１２１２において、所定ＱｏＳ用のＵｎ無線ベアラが確立され、ステップＳ１２１３において、無線基地局ＤｅＮＢは、かかる所定ＱｏＳ用のＵｎ無線ベアラと、移動局ＵＥ用のＳ１ベアラ（所定ＱｏＳ用）とを関連付けるＵＥコンテキスト（ＤｅＮＢ）を生成して記憶する。
【００７７】
ステップＳ１２１４において、無線基地局ＤｅＮＢは、バッファリングしている「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を、リレーノードＲＮに対して送信する。
【００７８】
リレーノードＲＮは、移動局ＵＥに対して、ステップＳ１２１５において、「Ｓｅｃｕｒｉｔｙ  Ｍｏｄｅ  Ｃｏｍｍａｎｄ」を送信し、ステップＳ１２１６において、「ＲＲＣ  Ｃｏｎｎｃｅｔｉｏｎ  Ｒｅｃｏｎｆｉｇｕｒａｔｉｏｎ」を送信する。
【００７９】
かかる「ＲＲＣ  Ｃｏｎｎｃｅｔｉｏｎ  Ｒｅｃｏｎｆｉｇｕｒａｔｉｏｎ」は、移動局ＵＥ用として所定ＱｏＳ用のＵｕ無線ベアラ（ＵＥ用ＤＲＢ）を設定するように要求する情報要素を含むＵｕ無線ベアラの設定要求信号である。
【００８０】
移動局ＵＥは、リレーノードＲＮに対して、ステップＳ１２１７において、「Ｓｅｃｕｒｉｔｙ  Ｍｏｄｅ  Ｃｏｍｐｌｅｔｅ」を送信し、ステップＳ１２１８において、「ＲＲＣ  Ｃｏｎｎｃｅｔｉｏｎ  Ｒｅｃｏｎｆｉｇｕｒａｔｉｏｎ  Ｃｏｍｐｌｅｔｅ（Ｕｕ無線ベアラの設定完了信号）」を送信する。
【００８１】
ステップＳ１２１９において、移動局ＵＥ用のＵｕ無線ベアラ（所定ＱｏＳ用）が確立され、ステップＳ１２２０において、リレーノードＲＮは、移動局ＵＥ用のＵｕ無線ベアラ（所定ＱｏＳ用）と、所定ＱｏＳ用のＵｎ無線ベアラとを関連付けるＵＥコンテキスト（ＲＮ）を生成して記憶する。
【００８２】
ステップＳ１２２１において、リレーノードＲＮは、ゲートウェイ装置Ｓ-ＧＷに対して、「Ｉｎｉｔｉａｌ  Ｃｏｎｔｅｘｔ  Ｓｅｔｕｐ  Ｒｅｓｐｏｎｓｅ」を送信する。
【００８３】
ステップＳ１２２２において、移動局ＵＥは、ゲートウェイ装置Ｓ-ＧＷに対して「Ａｔｔａｃｈ  Ｃｏｍｐｌｅｔｅ」を送信する。
【００８４】
（本発明の第１の実施形態の変更例２に係る移動通信システム）
以下、本発明の第１の実施形態の変更例２に係る移動通信システムについて、上述の第１の実施形態に係る移動通信システムとの相違点に着目して説明する。
【００８５】
本変更例２に係る移動通信システムでは、リレーノードＲＮは、起動時に、全てのＱｏＳ用のＵｎ無線ベアラを設定するように構成されている。
【００８６】
本変更例２に係る移動通信システムによれば、リレーノードＲＮの起動時に、全てのＱｏＳ用のＵｎ無線ベアラが設定されるように構成されているため、移動局ＵＥ用のＵプレーンベアラの設定に必要な時間を短縮することができる。
【００８７】
以上に述べた本実施形態の特徴は、以下のように表現されていてもよい。
【００８８】
本実施形態の第１の特徴は、移動通信方法であって、移動局ＵＥが、移動局ＵＥとゲートウェイ装置Ｓ-ＧＷとの間で所定Ｑｏｓ用のＥ-ＲＡＢ（ベアラ）を設定するように要求する「Ａｔｔａｃｈ  Ｒｅｑｕｅｓｔ」又は「Ｓｅｒｖｉｃｅ  Ｒｅｑｕｅｓｔ」（ベアラ設定要求信号）をリレーノードＲＮに対して送信する工程と、リレーノードＲＮが、受信した「Ａｔｔａｃｈ  Ｒｅｑｕｅｓｔ」又は「Ｓｅｒｖｉｃｅ  Ｒｅｑｕｅｓｔ」に応じて、リレーノードＲＮと無線基地局ＤｅＮＢとの間で所定ＱｏＳ用のＵｎ無線ベアラ（第２無線ベアラ）が設定されているか否かについて判定する工程と、所定ＱｏＳ用のＵｎ無線ベアラが設定されていると判定された場合、移動局ＵＥとリレーノードＲＮとの間で所定ＱｏＳ用のＵｕ無線ベアラ（第１無線ベアラ）を設定する工程と、リレーノードＲＮが、設定された所定ＱｏＳ用のＵｕ無線ベアラと所定ＱｏＳ用のＵｎ無線ベアラとを関連付けるＵＥコンテキスト（ＲＮ）（第１コンテキスト情報）を生成して記憶する工程と、無線基地局ＤｅＮＢが、所定ＱｏＳ用のＵｎ無線ベアラと、無線基地局ＤｅＮＢとゲートウェイ装置Ｓ-ＧＷとの間の所定ＱｏＳ用のＳ１ベアラ（ベアラ）とを関連付けるＵＥコンテキスト（ＤｅＮＢ）（第２コンテキスト情報）を生成して記憶する工程とを有することを要旨とする。
【００８９】
本実施形態の第１の特徴において、所定ＱｏＳ用のＵｎ無線ベアラが設定されていないと判定された場合、所定ＱｏＳ用のＵｕ無線ベアラと共に、所定ＱｏＳ用のＵｎ無線ベアラを設定する工程を更に有してもよい。
【００９０】
本実施形態の第２の特徴は、リレーノードＲＮであって、移動局ＵＥから、移動局ＵＥとゲートウェイ装置Ｓ-ＧＷとの間で所定Ｑｏｓ用のＥ-ＲＡＢを設定するように要求する「Ａｔｔａｃｈ  Ｒｅｑｕｅｓｔ」又は「Ｓｅｒｖｉｃｅ  Ｒｅｑｕｅｓｔ」を受信した場合に、無線基地局ＤｅＮＢとの間で所定ＱｏＳ用のＵｎ無線ベアラが設定されているか否かについて判定するように構成されている判定部１４と、所定ＱｏＳ用のＵｎ無線ベアラが設定されていると判定された場合、移動局ＵＥとの間で所定ＱｏＳ用の第１無線ベアラを設定するように構成されているＵＥ側インターフェイス１１と、設定された所定ＱｏＳ用のＵｕ無線ベアラと所定ＱｏＳ用のＵｎ無線ベアラとを関連付けるＵＥコンテキスト（ＲＮ）（コンテキスト情報）を生成して記憶するように構成されている記憶部１３とを具備することを要旨とする。
【００９１】
本実施形態の第２の特徴において、所定ＱｏＳ用のＵｎ無線ベアラが設定されていないと判定された場合、所定ＱｏＳ用のＵｕ無線ベアラと共に、所定ＱｏＳ用のＵｎ無線ベアラを設定するように構成されているＤｅＮＢ側インターフェイス１２を更に具備してもよい。
【００９２】
なお、上述の移動局ＵＥやリレーノードＲＮや無線基地局ＤｅＮＢやゲートウェイ装置Ｓ-ＧＷの動作は、ハードウェアによって実施されてもよいし、プロセッサによって実行されるソフトウェアモジュールによって実施されてもよいし、両者の組み合わせによって実施されてもよい。
【００９３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥやリレーノードＲＮや無線基地局ＤｅＮＢやゲートウェイ装置Ｓ-ＧＷ内に設けられていてもよい。また、かかる記憶媒体及びプロセッサは、ディスクリートコンポーネントとして移動局ＵＥやリレーノードＲＮや無線基地局ＤｅＮＢやゲートウェイ装置Ｓ-ＧＷ内に設けられていてもよい。
【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９６】
ＵＥ…移動局
ＲＮ…リレーノード
ＤｅＮＢ…無線基地局
Ｓ-ＧＷ…ゲートウェイ装置
１１…ＵＥ側インターフェイス
１２…ＤｅＮＢ側インターフェイス
１３…記憶部
１４…判定部
【図１】
2010283793.tif 000003
【図２】
2010283793.tif 000004
【図３】
2010283793.tif 000005
【図４】
2010283793.tif 000006
【図５】
2010283793.tif 000007
【図６】
2010283793.tif 000008
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
移動局が、該移動局とゲートウェイ装置との間で所定Ｑｏｓ用のベアラを設定するように要求するベアラ設定要求信号を、リレーノードに対して送信する工程と、
前記ベアラ設定要求信号が送信された場合で、かつ、前記リレーノードと無線基地局との間で前記所定ＱｏＳ用の第２無線ベアラが設定されている場合、前記移動局と該リレーノードとの間で前記所定ＱｏＳ用の第１無線ベアラを設定する工程と、
前記リレーノードが、設定された前記所定ＱｏＳ用の第１無線ベアラと、前記所定ＱｏＳ用の第２無線ベアラとを関連付ける第１コンテキスト情報を記憶する工程と、
前記無線基地局が、前記所定ＱｏＳ用の第２無線ベアラと、該無線基地局と前記ゲートウェイ装置との間の前記所定ＱｏＳ用のベアラとを関連付ける第２コンテキスト情報を記憶する工程とを有することを特徴とする移動通信方法。
【請求項２】
前記所定ＱｏＳ用の第２無線ベアラが設定されていない場合、該所定ＱｏＳ用の第１無線ベアラと共に、該所定ＱｏＳ用の第２無線ベアラを設定する工程を更に有することを特徴とする請求項１に記載の移動通信方法。
【請求項３】
リレーノードであって、
移動局から、該移動局とゲートウェイ装置との間で所定Ｑｏｓ用のベアラを設定するように要求するベアラ設定要求信号を受信した場合で、かつ、無線基地局との間で該所定ＱｏＳ用の第２無線ベアラが設定されている場合、前記移動局との間で該所定ＱｏＳ用の第１無線ベアラを設定するように構成されている移動局側インターフェイスと、
設定された前記所定ＱｏＳ用の第１無線ベアラと、前記所定ＱｏＳ用の第２無線ベアラとを関連付けるコンテキスト情報を記憶するように構成されている記憶部とを具備することを特徴とするリレーノード。
【請求項４】
前記所定ＱｏＳ用の第２無線ベアラが設定されていない場合、前記所定ＱｏＳ用の第１無線ベアラと共に、該所定ＱｏＳ用の第２無線ベアラを設定するように構成されている無線基地局側インターフェイスを更に具備することを特徴とする請求項３に記載のリレーノード。